(57)【特許請求の範囲】
【請求項１】
空気調和機の室外機と、
室外機で生成された熱を蓄える氷蓄熱槽と、
室外機と氷蓄熱槽を接続する配管及び配線と、
を有し、据付現場以外の場所で一体化された氷蓄熱ユニットにおいて、
室外機と氷蓄熱槽を上部に載せて固定するとともに、配管及び配線を支持する架台と、
室外機と氷蓄熱槽の外側を取り囲むように、架台の上部に立設される複数のパネルと、
を有し、
架台はパネル固定用の骨組みを有していない平面状であり、
各パネルは架台に対して着脱可能であり、かつ、自立するようにそれぞれ固定される、
ことを特徴とする氷蓄熱ユニット。
【請求項２】
請求項１に記載の氷蓄熱ユニットにおいて、
氷蓄熱ユニットが複数台あり、互いに隣接して設けられ、
氷蓄熱ユニットは、氷蓄熱ユニット同士が隣接する隣接部におけるパネルが架台から取り外されて構成される、
ことを特徴とする氷蓄熱ユニット。
【請求項３】
請求項２に記載の氷蓄熱ユニットにおいて、
室外機と氷蓄熱槽は、メンテナンススペースを介して架台上に配置され、
隣り合う氷蓄熱ユニットは、互いのユニットの室外機同士、そして互いのユニットの氷蓄熱槽同士がそれぞれ隣り合うように設けられる、
ことを特徴とする氷蓄熱ユニット。
【請求項４】
請求項１から３のいずれか１つに記載の氷蓄熱ユニットにおいて、
パネルは、氷蓄熱ユニットに人が近接することを防ぐ保護用パネル、氷蓄熱ユニットから発生する音を遮蔽する遮音パネル、または点検扉付きパネルを含む、
ことを特徴とする氷蓄熱ユニット。
【発明の詳細な説明】
【技術分野】
【０００１】
本発明は氷蓄熱ユニットに関し、特に、室外機と、氷蓄熱槽と、室外機と氷蓄熱槽を接続する配管及び配線とを有し、屋外に設置される氷蓄熱ユニットに関する。
【背景技術】
【０００２】
従来から、夏期の夜間には氷、冬期の夜間にはお湯をそれぞれ生成して蓄え、昼間の冷暖房に活かす氷蓄熱空調システムが知られている。この氷蓄熱空調システムには、室外機と、この室外機に対応する室内機とを有する空気調和機に、熱を蓄える氷蓄熱槽を組み合わせたものがある。
【０００３】
室外機と氷蓄熱槽は、学校、オフィスビル、工場等の建物の屋外に設置される。このような状況で、人が室外機及び氷蓄熱槽に接近して事故が発生してしまうことを防ぐため、室外機と氷蓄熱槽の外周を囲うように保護用フェンスを配置する例がある。また、夜間に運転する室外機及び氷蓄熱槽から発生する音が、騒音として周辺の住環境を悪化させてしまうことを抑制するため、室外機と氷蓄熱槽の周囲に遮音パネルを配置する例がある。
【０００４】
下記特許文献１には、室外機と、氷蓄熱槽と、室外機と氷蓄熱槽を接続する配管及び配線と、これらを保持する多機能フレームとを有し、屋外に設置される氷蓄熱ユニットが記載されている。氷蓄熱ユニットは、このユニットから発生する音を遮蔽する遮音パネルと、このユニットに人が近接することを防ぐ保護用フェンスとを有し、遮音パネルと保護用フェンスが多機能フレームに取り付けられる。そして、氷蓄熱ユニットは、工場などの据付現場以外の場所で組み立てられ、据付現場に搬入される。
【先行技術文献】
【特許文献】
【０００５】
【特許文献１】特開２０１０−２７０９８４号公報
【発明の概要】
【発明が解決しようとする課題】
【０００６】
上記特許文献１のような氷蓄熱ユニットにおいては、据付現場以外の場所で、室外機と氷蓄熱槽とこれらの周囲のパネルやフェンスとが組み付けられて一体化されるので、現場施工の省力化及び短工期化を実現することができる。
【０００７】
しかしながら、据付現場において、機器廻りの作業スペースを確保するために、パネルやフェンスを多機能フレームから一時的に取り外さなければならず、その作業に手間がかかるという問題がある。また、上記特許文献１の氷蓄熱ユニットにおいては、パネルやフェンスが架台に配置される柱材及び梁材などの骨組みに固定されている。このような構成では、パネルやフェンスを一時的に多機能フレームから取り外しただけでは、骨組みが室外機と氷蓄熱槽の周囲に残ってしまうため作業性が改善しない。骨組みも一時的に取り外すことが考えられるが、組み付け時に柱材の垂直及び梁材の水平を調整する必要があり、とても手間がかかってしまう。
【０００８】
本発明の目的は、据付現場以外の場所で一体化された氷蓄熱ユニットを据付現場において配置する場合、簡易な構造で、現場施工の省力化及び短工期化を実現することができる氷蓄熱ユニットを提供することにある。
【課題を解決するための手段】
【０００９】
本発明は、空気調和機の室外機と、室外機で生成された熱を蓄える氷蓄熱槽と、室外機と氷蓄熱槽を接続する配管及び配線と、を有し、据付現場以外の場所で一体化された氷蓄熱ユニットにおいて、室外機と氷蓄熱槽を上部に載せて固定するとともに、配管及び配線を支持する架台と、室外機と氷蓄熱槽の外側を取り囲むように、架台の上部に立設される複数のパネルと、を有し、架台はパネル固定用の骨組みを有していない平面状であり、各パネルは架台に対して着脱可能であり、かつ、自立するようにそれぞれ固定されることを特徴とする。
【００１０】
また、氷蓄熱ユニットが複数台あり、互いに隣接して設けられ、氷蓄熱ユニットは、氷蓄熱ユニット同士が隣接する隣接部におけるパネルが架台から取り外されて構成されることを特徴とする。
【００１１】
また、室外機と氷蓄熱槽は、メンテナンススペースを介して架台上に配置され、隣り合う氷蓄熱ユニットは、互いのユニットの室外機同士、そして互いのユニットの氷蓄熱槽同士がそれぞれ隣り合うように設けられることを特徴とする。
【００１２】
また、パネルは、氷蓄熱ユニットに人が近接することを防ぐ保護用パネル、氷蓄熱ユニットから発生する音を遮蔽する遮音パネル、または点検扉付きパネルを含むことを特徴とする。
【発明の効果】
【００１３】
本発明の氷蓄熱ユニットによれば、据付現場以外の場所で一体化された氷蓄熱ユニットを据付現場において配置する場合、簡易な構造で、現場施工の省力化及び短工期化を実現することができる。
【図面の簡単な説明】
【００１４】
【図１】本実施形態に係る氷蓄熱ユニットの構成を示す平面図である。
【図２】図１のＡ方向から見た氷蓄熱ユニットの側面図である。
【図３】架台とパネルの構成を示す図である。
【図４】複数の氷蓄熱ユニットが隣接して配置された状態を示す平面図である。
【発明を実施するための形態】
【００１５】
以下、本発明に係る氷蓄熱ユニットの実施形態について、図を用いて説明する。図１は、本実施形態に係る氷蓄熱ユニットの構成を示す平面図であり、図２は、図１のＡ方向から見た氷蓄熱ユニットの側面図である。なお、図２は、正面に位置するパネルを取り外した状態を示す。
【００１６】
氷蓄熱ユニット１０は、室外機１２と、室外機１２で生成された熱を蓄える氷蓄熱槽１４と、室外機１２と氷蓄熱槽１４を接続する配管１６及び配線１８とを有する。
【００１７】
室外機１２は、冷暖房を行う空気調和機の室外機であり、冷媒が流れる配管を介して１台又は複数台の室内機（図示せず）に接続される。
【００１８】
氷蓄熱槽１４は、室外機１２に対してメンテナンススペースを介して配置される。すなわち、氷蓄熱槽１４は、室外機１２に対して所定の間隔を空けて配置される。氷蓄熱槽１４は、熱を蓄える蓄熱材（例えば水）と、この蓄熱材と冷媒との熱交換を行う熱交換器とを収容する容器である。
【００１９】
夏期の夜間における冷房蓄熱運転時には、氷蓄熱槽１４内の熱交換器で液体の冷媒が気化し、その際に生じる吸熱作用により、氷蓄熱槽１４内の水が冷やされて氷になり蓄熱される。一方、冬期の夜間における暖房蓄熱運転時には、氷蓄熱槽１４内の熱交換器で気体の冷媒が液化し、その際に生じる放熱作用により、氷蓄熱槽１４内の水が暖められて温水（お湯）になり蓄熱される。
【００２０】
また、氷蓄熱ユニット１０は、室外機１２と氷蓄熱槽１４を上部に載せて固定する架台２０と、室外機１２と氷蓄熱槽１４の外側を取り囲む複数のパネル２２とを有する。
【００２１】
架台２０は、溝型鋼などの鋼材からなり、例えば溶融亜鉛メッキ処理が施され、耐腐食性を有する。図１においては、架台２０の構成が省略されている。よって、架台２０の構成については、図３を用いて説明する。図３は、架台２０とパネル２２の構成を示す図である。
【００２２】
架台２０は、図３に示されるように、複数の鋼材を組み合わせて構成され、氷蓄熱ユニット１０の外周枠を形成する外周枠架台２０ａと、外周枠架台２０ａの内側に所定の間隔を空けて設けられる内部架台２０ｂとを有する。外周枠架台２０ａはパネル２２を支持する。内部架台２０ｂは、室外機１２と、氷蓄熱槽１４と、配管１６及び配線１８とを支持する。
【００２３】
パネル２２は、図３に示されるように、外周枠架台２０ａの上部に立設され、図１に示されるように、室外機１２と氷蓄熱槽１４の外周を１０枚で囲む。パネル２２の数１０枚は一例であり、他の枚数であってもよい。パネル２２は、氷蓄熱ユニット１０に人が近接することを防ぐ保護用パネルであり、金網２２ａと、金網２２ａの周囲を取り囲み補強する外枠２２ｂとを有する。外枠２２ｂは山形鋼などの鋼材からなる。金網２２ａと外枠２２ｂは、例えば溶融亜鉛メッキ処理が施され、耐腐食性を有する。また、パネル２２は、図１の破線に示されるように、開閉機構がある点検扉付きとすることもできる。
【００２４】
このように構成される氷蓄熱ユニット１０は、工場などの据付現場以外の場所（オフサイト）で組み立てられる。具体的には、複数の鋼材を、溶接またはボルト締結などで組み合わせて架台２０を作成し、この架台２０の上に、室外機１２と氷蓄熱槽１４をボルト・ナット締結で固定する。そして、室外機１２と氷蓄熱槽１４間を、配管１６及び配線１８で接続するとともに、配管１６及び配線１８を、ブラケット（図示せず）を介して架台２０に支持する。最後に、架台１０の上に複数のパネル２２を取り付けて、氷蓄熱ユニット１０が一体化される。
【００２５】
オフサイトで組み立てられ一体化された氷蓄熱ユニット１０は、据付現場に運搬され、図２に示されるように、屋外の基礎２４上に据え付けられる。具体的には、架台２０と基礎２４が、アンカーボルト及びナットにより締結されて固定される。このように、氷蓄熱ユニット１０がオフサイトで組み立てられて据付現場に搬入されるので、据付現場における作業を省略することができ、工期の短縮を図ることができる。
【００２６】
本実施形態の氷蓄熱ユニット１０においては、各パネル２２が架台２０に対して着脱可能にそれぞれ固定されることを特徴とする。このような構成により、据付現場において、作業スペースを確保するために、パネル２２を必要な枚数分だけ一時的に取り外すことができる。そして、作業後に、取り外した各パネル２２を架台２０にそれぞれ取り付けることで、原状復帰が可能になる。
【００２７】
従来技術においては、パネルが柱材及び梁材などの骨組みに固定されていたので、パネルを一時的に取り外しただけでは、骨組みが室外機と氷蓄熱槽の周囲に残ってしまうため作業性が改善しなかった。そして、骨組みも一時的に取り外そうとすると、組み付け時に柱材の垂直及び梁材の水平を調整する必要があり、とても手間がかかっていた。
【００２８】
しかし、本実施形態の氷蓄熱ユニット１０によれば、上述のように、各パネル２２が架台２０に対して着脱することができる構成になっているので、作業スペースの確保及び原状復帰が容易になり、現場施工の省力化及び短工期化を実現することができる。
【００２９】
パネル２２は、上述のように、金網２２ａと、金網２２ａの周囲を取り囲み、金網２２ａを補強する外枠２２ｂとを有し、外枠２２ｂは例えば山形鋼である。このように構成されるパネル２２は、外周枠架台２０ａに対してボルト・ナットにより締結される。具体的には、外周枠架台２０ａの上面と、この上面に対向する外枠２２ｂの面とにそれぞれボルト穴が複数形成され、これらのボルト孔にボルトを通してナットで締め付けることにより、パネル２２が外周枠架台２０ａに自立するように固定される。このように、ボルト・ナット締結によりパネル２２が直接に架台２０に固定されているので、据付現場においてパネル２２を必要に応じて適宜取り外すことができ、また作業後に容易に取り付けることができる。
【００３０】
なお、本実施形態においては、１枚のパネル２２が架台２０に自立するように配置される場合について説明したが本発明はこの構成に限定されない。作業終了後に、隣接するパネル２２同士を連結するように固定することができる。具体的には、対向する外枠２２ｂの面にボルト穴が複数形成され、これらのボルト孔に対してボルトを通してナットで締め付けることにより、隣接するパネル２２が連結される。この構成により、複数のパネル２２が一体化されるので構造上の強度が増し、風や地震などによるパネル２２の振れが防止される。さらに、強度の向上を図るため、据付作業終了後に、振れ止めの鋼材を、対向するパネル２２上部に橋渡しするように設けてもよい。
【００３１】
次に、据付現場において、複数の氷蓄熱ユニット１０を互いに隣接するように設置する場合について、図４を用いて説明する。図４は、複数の氷蓄熱ユニット１０が隣接して配置された状態を示す平面図である。
【００３２】
本実施形態の氷蓄熱ユニット１０は複数台あり、これらの氷蓄熱ユニット１０を互いに隣接するようにして連続的に配置することができる。図４には、４台の氷蓄熱ユニット１０が、隣接する氷蓄熱ユニット１０の室外機１２同士そして氷蓄熱槽１４同士がそれぞれ隣り合うように連続的に配置される。なお、本発明は氷蓄熱ユニット１０の数４台に限定されず、複数台であれば４台以外の数であっても良い。
【００３３】
そして、このように連続的に氷蓄熱ユニット１０が配置される構成においては、氷蓄熱ユニット１０同士が隣接する隣接部におけるパネル２２（図４に示す破線）が架台２０から取り外されて構成される。この構成により、作業スペース及びメンテナンススペースを確保することができる。また、隣接部分のパネル２２を取り外したとしても、他のパネル２２は自立式であるため構造的な影響を与えない。
【００３４】
本実施形態の氷蓄熱ユニット１０によれば、各パネル２２が架台２０に対してそれぞれ着脱可能に固定される構成になっているので、複数の氷蓄熱ユニット１０を連続的に配置する場合、据付現場において隣接部に位置するパネル２２を取り外すだけで、各氷蓄熱ユニット１０を容易に連結することができる。
【００３５】
本実施形態においては、パネル２２が、氷蓄熱ユニット１０に人が近接することを防ぐ保護用パネルである場合について説明したが、本発明はこの構成に限定されない。パネル２２を、氷蓄熱ユニットから発生する音を遮蔽する遮音パネルとすることができる。この場合、金網２２ａが、吸音材又は防音材に置き換わる。氷蓄熱ユニット１０においては、夜間に室外機１２と氷蓄熱槽１４が運転するので、これらの機器から発生する音が周囲の住民に迷惑となってしまう。よって、室外機１２と氷蓄熱槽１４の外側に遮音パネルを設けることにより、運転音が遮音されるので、住民の不快感が抑制される。なお、遮音パネルは、氷蓄熱ユニット１０の周囲の住宅などを考慮して、その取り付け面、高さ、遮音等級が決定される。よって、パネル２２が、保護用パネルと遮音パネルとを含むように構成されてもよい。
【符号の説明】
【００３６】
１０  氷蓄熱ユニット、１２  室外機、１４  氷蓄熱槽、１６  配管、１８  配線、２０  架台、２２  パネル、２４  基礎。
【図１】
0006038770.tif 000002
【図２】
0006038770.tif 000003
【図３】
0006038770.tif 000004
【図４】
0006038770.tif 000005